(57)【要約】【課題】  携帯端末間で送受信されるメッセージに、メッセージ本文内容と関連するコンテンツデータ（画像データ、音源データなど）を自動的に埋め込んで送信するメッセージ配信システムを提供する。【解決手段】  携帯電話機１１、１５間で送受信されるメッセージの配信を行うメッセージ配信システムであって、ライブラリサーバ１３が送信側の携帯電話機１１から送信されるメッセージに含まれるデータに適合するコンテンツデータをメッセージに埋め込み、メッセージサーバ１２が受信側の携帯電話機１５に配信する。【選択図】    図１
2005285047.tif 000002
【特許請求の範囲】
【請求項１】
携帯端末間で送受信されるメッセージの配信を行うメッセージ配信システムにおいて、
送信側の前記携帯端末から送信されるメッセージに含まれるデータに適合するコンテンツデータを前記メッセージに埋め込み、受信側の前記携帯端末に配信することを特徴とするメッセージ配信システム。
【請求項２】
前記コンテンツデータとして、画像データ、音源データを含むデータを埋め込むことを特徴とする請求項１に記載のメッセージ配信システム。
【請求項３】
キーワードと対応させた複数のコンテンツデータを格納するデータ格納部を備え、
前記メッセージデータの本文に含まれる単語と一致する前記キーワードを検索し、一致するキーワードに対応する前記コンテンツデータを前記メッセージに埋め込むことを特徴とする請求項１又は請求項２に記載のメッセージ配信システム。
【請求項４】
前記携帯端末から送信されたメッセージを受け取り、受信側の前記携帯端末に配信するメッセージ配信サーバと、
前記メッセージサーバからの要求により前記メッセージに対する前記コンテンツデータの埋め込み処理を行うライブラリサーバを備えることを特徴とする請求項１から請求項３の何れか１項に記載のメッセージ配信システム。
【請求項５】
前記ライブラリサーバが、前記データ格納部を備え、前記メッセージデータの本文に含まれる単語と一致する前記キーワードを検索し、一致するキーワードに対応する前記コンテンツデータを前記データ格納部から取り出して前記メッセージに埋め込む処理を行うことを特徴とする請求項４に記載のメッセージ配信システム。
【請求項６】
前記ライブラリサーバによってコンテンツデータが埋め込まれた前記メッセージを、送信側の前記携帯端末に送信し、当該送信側の携帯端末からの要求に基づいて、前記メッセージに埋め込まれた前記コンテンツデータの変更、削除、追加を行うことを特徴とする請求項１から請求項５の何れか１項に記載のメッセージ配信システム。
【請求項７】
前記携帯端末から送信されたメッセージに使用されたコンテンツデータを、前記携帯端末のユーザ毎に固有のユーザ情報として管理し、
前記携帯端末からの前記コンテンツデータの変更、追加の要求があった場合に、前記ユーザ情報に基づいて前記ユーザに適合するコンテンツデータを前記携帯端末に送信することを特徴とする請求項６に記載のメッセージ配信システム。
【請求項８】
携帯端末間で送受信されるメッセージの配信を行うサーバであって、
送信側の前記携帯端末から送信されるメッセージに含まれるデータに適合するコンテンツデータを前記メッセージに埋め込み、受信側の前記携帯端末に配信する手段を備えることを特徴とするサーバ。
【請求項９】
前記コンテンツデータとして、画像データ、音源データを含むデータを埋め込むことを特徴とする請求項８に記載のサーバ。
【請求項１０】
キーワードと対応させた複数のコンテンツデータを格納するデータ格納部を備え、
前記メッセージデータの本文に含まれる単語と一致する前記キーワードを検索し、一致するキーワードに対応する前記コンテンツデータを前記メッセージに埋め込む手段を備えることを特徴とする請求項８又は請求項９に記載のサーバ。
【請求項１１】
前記携帯端末から送信されたメッセージを受け取り、受信側の前記携帯端末に配信するメッセージサーバと接続され、
前記メッセージサーバからの要求により前記メッセージに対する前記コンテンツデータの埋め込み処理を行うことを特徴とする請求項８から請求項１０の何れか１項に記載のサーバ。
【請求項１２】
前記コンテンツデータを埋め込んだ前記メッセージを、送信側の前記携帯端末に送信し、当該送信側の携帯端末からの要求に基づいて、前記メッセージに埋め込まれた前記コンテンツデータの変更、削除、追加を行うことを特徴とする請求項８から請求項１１の何れか１項に記載のサーバ。
【請求項１３】
前記携帯端末から送信されたメッセージに使用されたコンテンツデータを、前記携帯端末のユーザ毎に固有のユーザ情報として管理し、
前記携帯端末からの前記コンテンツデータの変更、追加の要求があった場合に、前記ユーザ情報に基づいて前記ユーザに適合するコンテンツデータを前記携帯端末に送信することを特徴とする請求項１２に記載のサーバ。
【請求項１４】
携帯端末間で送受信されるメッセージの配信を行うサーバ上で実行されるメッセージ配信プログラムであって、
送信側の前記携帯端末から送信されるメッセージに含まれるデータに適合するコンテンツデータを前記メッセージに埋め込み、受信側の前記携帯端末に配信する機能を実行することを特徴とするメッセージ配信プログラム。
【請求項１５】
前記コンテンツデータとして、画像データ、音源データを含むデータを埋め込むことを特徴とする請求項１４に記載のメッセージ配信プログラム。
【請求項１６】
キーワードと対応させた複数のコンテンツデータを格納するデータ格納部を備え、
前記メッセージデータの本文に含まれる単語と一致する前記キーワードを検索し、一致するキーワードに対応する前記コンテンツデータを前記メッセージに埋め込む機能を有することを特徴とする請求項１４又は請求項１５に記載のメッセージ配信プログラム。
【請求項１７】
前記携帯端末から送信されたメッセージを受け取り、受信側の前記携帯端末に配信するメッセージサーバと接続されるサーバ上で実行され、
前記メッセージサーバからの要求により前記メッセージに対する前記コンテンツデータの埋め込み処理を行う機能を有することを特徴とする請求項１４から請求項１６の何れか１項に記載のメッセージ配信プログラム。
【請求項１８】
前記コンテンツデータを埋め込んだ前記メッセージを、送信側の前記携帯端末に送信し、当該送信側の携帯端末からの要求に基づいて、前記メッセージに埋め込まれた前記コンテンツデータの変更、削除、追加を行う機能を有することを特徴とする請求項１４から請求項１７の何れか１項に記載のメッセージ配信プログラム。
【請求項１９】
前記携帯端末から送信されたメッセージに使用されたコンテンツデータを、前記携帯端末のユーザ毎に固有のユーザ情報として管理し、
前記携帯端末からの前記コンテンツデータの変更、追加の要求があった場合に、前記ユーザ情報に基づいて前記ユーザに適合するコンテンツデータを前記携帯端末に送信する機能を有することを特徴とする請求項１８に記載のメッセージ配信プログラム。
【発明の詳細な説明】
【技術分野】
【０００１】
本発明は、携帯電話機などの携帯端末間で送受信されるメッセージの配信を行う、メッセージ配信システムに関し、特に、携帯端末からのメッセージにコンテンツデータ（画像データ、音源データなど）を自動的に埋め込むことを可能とするメッセージ配信システム、メッセージサーバ、及びメッセージ配信プログラムに関する。
【背景技術】
【０００２】
従来、携帯端末としての携帯電話機において、通話以外の機能のうち、ユーザの使用頻度が高い機能は、メッセージの送受信機能(メール)である。このメッセージ送受信を利用することで、個性的で趣味性の富んだメッセージを作成するという状況が増えてきている。
【０００３】
このようなメッセージ送受信を利用するユーザの間では、メッセージに、コンテンツデータ（画像データ、音源データなど）を付加することにより、個性的で趣味性に富んだメッセージ作成を行うことが一般的となりつつある。
【０００４】
このようなメッセージを作成するユーザは、メッセージ作成時に、自らの携帯端末に予め保持された限られた数少ないコンテンツデータ（画像データ、音源データなど）を使用してメッセージ作成を行っているのが通常である。
【０００５】
携帯端末に予め保持されたコンテンツデータ（画像データ、音源データなど）以外を使用してメッセージ作成を行う場合では、各ユーザが個別にコンテンツ提供サイトよりコンテンツデータ（映像データ、音源データなど）を各ユーザが個別にダウンロードしなければならない。
【０００６】
メッセージ作成における本文入力においても、テキスト入力とコンテンツデータ（画像入力、音源入力など）入力には、入力選択する操作が必要であり、メッセージ作成において操作が複雑で手間がかかるものである。
【０００７】
このようなメッセージ作成は、個性が反映されているか、相手にとって趣味性の富んだ物であるかなどを考慮し、コンテンツデータ（画像入力、音源入力など）の選択をおこなはなければならないものである。
【０００８】
コンテンツ提供サイトなど、利用するためのユーザ登録は、ユーザが自らのユーザ情報（住所など）の変更が、行われるたびに、ユーザ情報を、再度登録または、変更を行わなければならない。
【０００９】
従来のメール配信方法としては、例えば特開２００２−５５９３３号公報（特許文献１）と特開２００２−２６９０１０号公報（特許文献２）に開示されている技術がある。
【００１０】
特許文献１のメール配信方法では、送信元携帯電話が、メールを送信すると、メールサーバの構文解析により文字に対応したキャラクター画像を割当てて文章と文字列を併せたコミックメールを作成し及び保存するとともに、コミックメールを保存したＷｅｂページのＵＲＬを送信先携帯端末に送信することにより、送信元端末で画像の選択または作成を行うことなく画像を電子メールに添付することができる方法が開示されている。
【００１１】
特許文献２のメール配信方法では、メール送信端末よりメールサーバがメールを受け取り、登録ユーザのユーザ情報ユーザ情報のうち電話番号データ及び位置情報に対応する地図リンク情報を電子メールに付加し送信する。これにより、送信先携帯端末では、電子メールに付加された電話番号のクリックだけで相手と通話でき、また、付加された地図リンク情報のクリックにより地図情報提供サイトから地図情報を取得することができる。
【特許文献１】特開２００２−５５９３３号公報
【特許文献２】特開２００２−２６９０１０号公報
【発明の開示】
【発明が解決しようとする課題】
【００１２】
これまでの携帯端末のメッセージメール送受信においては、以下に述べる問題点があった。
【００１３】
ユーザが携帯端末でメッセージ作成をおこなう場合、テキスト入力と、コンテンツデータ（画像データ、音源データなど）入力において、入力選択するなどの操作が必要であり、操作が複雑で手間がかかるという問題点があった。
【００１４】
メッセージ作成において個性的で、趣味性に富んだメッセージを作成するために、コンテンツデータ（画像データ、音源データなど）を埋め込む場合には、自らの携帯端末に保持される限られた数少ないコンテンツデータ（画像データ、音源データなど）から選択することしかできなという問題点があった。
【００１５】
また、メッセージ作成においてコンテンツデータ（画像データ、音源データなど）を埋め込む場合には、自らの趣向や、相手がどう反応するかなどを考慮しながら作成しなければならず、作成により手間がかかるという問題点があった。
【００１６】
メッセージ作成において携帯端末に予め保持されたコンテンツデータ（画像データや音源データなど）以外を使用する場合には、携帯端末用のコンテンツ提供サイトより、各ユーザが個別にダウンロードしてコンテンツデータ（画像データや音源データなど）を取得する必要があり、メッセージ作成が非常に面倒となる欠点があった。
【００１７】
特許文献１の方法では、作成したメッセージにより画像データの埋め込みを行うため、ユーザの個人の情報（年齢、職業など）が、画像データに反映されないという問題点があった。
【００１８】
特許文献２の方法では、ユーザ情報が、送信するメッセージ内容をユーザ情報の履歴として処理が行われないため、送信されたメッセージ内容の変化によるユーザの初期の登録時に解らなかった趣向や、時々刻々と変わるユーザの趣向の変化に合わせた、画像データを埋め込むことができないという問題点があった。
【００１９】
本発明の第１の目的は、ユーザ間のメッセージ送受信において、メッセージ作成時にコンテンツデータ（画像データ、音源データなど）を埋め込むことなく通常のメッセージ送信処理を行なうだけで、送信メッセージに関連するコンテンツデータ（画像データ、音源データなど）が自動的に埋め込まれて受信側に配信されるメッセージ配信システムを提供することにある。
【００２０】
本発明の第２の目的は、メッセージに埋め込みたいコンテンツデータ（画像データ、音源データなど）を端末内で保持する必要をなくし、サーバが保持するコンテンツデータ（画像データ、音源データなど）を使用することで、端末内のメモリに負荷を与えないことを提供することにある。
【００２１】
本発明の第３の目的は、ユーザの好みや趣向性に適合したコンテンツデータ（画像データ、音源データなど）埋め込んだメッセージをユーザ情報の条件により作成できることを提供することにある。
【００２２】
本発明の第４の目的は、携帯端末が、メッセージ送信後にメッセージに埋め込まれたコンテンツデータ（画像データ、音源データなど）の再編集ができることを提供することにある。
【００２３】
本発明の第５の目的は、携帯端末に予め保持されたコンテンツデータ（画像データ、音源データなど）以外を使用する場合では、各ユーザが個別に携帯端末用のコンテンツ提供サイトより各ユーザが個別にダウンロードしてコンテンツデータ（画像データ、音源データなど）を取得する作業を軽減するメッセージ配信システムを提供することにある。
【課題を解決するための手段】
【００２４】
上記目的を達成するための本発明のメッセージ配信システムは、携帯端末間で送受信されるメッセージの配信を行うメッセージ配信システムにおいて、送信側の前記携帯端末から送信されるメッセージに含まれるデータに適合するコンテンツデータを前記メッセージに埋め込み、受信側の前記携帯端末に配信することを特徴とする。
【００２５】
請求項２の本発明のメッセージ配信システムは、前記コンテンツデータとして、画像データ、音源データを含むデータを埋め込むことを特徴とする。
【００２６】
請求項３の本発明のメッセージ配信システムは、キーワードと対応させた複数のコンテンツデータを格納するデータ格納部を備え、前記メッセージデータの本文に含まれる単語と一致する前記キーワードを検索し、一致するキーワードに対応する前記コンテンツデータを前記メッセージに埋め込むことを特徴とする。
【００２７】
請求項４の本発明のメッセージ配信システムは、前記携帯端末から送信されたメッセージを受け取り、受信側の前記携帯端末に配信するメッセージ配信サーバと、前記メッセージサーバからの要求により前記メッセージに対する前記コンテンツデータの埋め込み処理を行うライブラリサーバを備えることを特徴とする。
【００２８】
請求項５の本発明のメッセージ配信システムは、前記ライブラリサーバが、前記データ格納部を備え、前記メッセージデータの本文に含まれる単語と一致する前記キーワードを検索し、一致するキーワードに対応する前記コンテンツデータを前記データ格納部から取り出して前記メッセージに埋め込む処理を行うことを特徴とする。
【００２９】
請求項６の本発明のメッセージ配信システムは、前記ライブラリサーバによってコンテンツデータが埋め込まれた前記メッセージを、送信側の前記携帯端末に送信し、当該送信側の携帯端末からの要求に基づいて、前記メッセージに埋め込まれた前記コンテンツデータの変更、削除、追加を行うことを特徴とする。
【００３０】
請求項７の本発明のメッセージ配信システムは、前記携帯端末から送信されたメッセージに使用されたコンテンツデータを、前記携帯端末のユーザ毎に固有のユーザ情報として管理し、前記携帯端末からの前記コンテンツデータの変更、追加の要求があった場合に、前記ユーザ情報に基づいて前記ユーザに適合するコンテンツデータを前記携帯端末に送信することを特徴とする。
【００３１】
請求項８の本発明のサーバは、携帯端末間で送受信されるメッセージの配信を行うサーバであって、送信側の前記携帯端末から送信されるメッセージに含まれるデータに適合するコンテンツデータを前記メッセージに埋め込み、受信側の前記携帯端末に配信する手段を備えることを特徴とする。
【００３２】
請求項９の本発明のサーバは、前記コンテンツデータとして、画像データ、音源データを含むデータを埋め込むことを特徴とする。
【００３３】
請求項１０の本発明のサーバは、キーワードと対応させた複数のコンテンツデータを格納するデータ格納部を備え、前記メッセージデータの本文に含まれる単語と一致する前記キーワードを検索し、一致するキーワードに対応する前記コンテンツデータを前記メッセージに埋め込む手段を備えることを特徴とする。
【００３４】
請求項１１の本発明のサーバは、前記携帯端末から送信されたメッセージを受け取り、受信側の前記携帯端末に配信するメッセージサーバと接続され、前記メッセージサーバからの要求により前記メッセージに対する前記コンテンツデータの埋め込み処理を行うことを特徴とする。
【００３５】
請求項１２の本発明のサーバは、前記コンテンツデータを埋め込んだ前記メッセージを、送信側の前記携帯端末に送信し、当該送信側の携帯端末からの要求に基づいて、前記メッセージに埋め込まれた前記コンテンツデータの変更、削除、追加を行うことを特徴とする。
【００３６】
請求項１３の本発明のサーバは、前記携帯端末から送信されたメッセージに使用されたコンテンツデータを、前記携帯端末のユーザ毎に固有のユーザ情報として管理し、前記携帯端末からの前記コンテンツデータの変更、追加の要求があった場合に、前記ユーザ情報に基づいて前記ユーザに適合するコンテンツデータを前記携帯端末に送信することを特徴とする。
【００３７】
請求項１４の本発明は、携帯端末間で送受信されるメッセージの配信を行うサーバ上で実行されるメッセージ配信プログラムであって、送信側の前記携帯端末から送信されるメッセージに含まれるデータに適合するコンテンツデータを前記メッセージに埋め込み、受信側の前記携帯端末に配信する機能を実行することを特徴とする。
【００３８】
請求項１５の本発明のメッセージ配信プログラムは、前記コンテンツデータとして、画像データ、音源データを含むデータを埋め込むことを特徴とする。
【００３９】
請求項１６の本発明のメッセージ配信プログラムは、キーワードと対応させた複数のコンテンツデータを格納するデータ格納部を備え、前記メッセージデータの本文に含まれる単語と一致する前記キーワードを検索し、一致するキーワードに対応する前記コンテンツデータを前記メッセージに埋め込む機能を有することを特徴とする。
【００４０】
請求項１７の本発明のメッセージ配信プログラムは、前記携帯端末から送信されたメッセージを受け取り、受信側の前記携帯端末に配信するメッセージサーバと接続されるサーバ上で実行され、前記メッセージサーバからの要求により前記メッセージに対する前記コンテンツデータの埋め込み処理を行う機能を有することを特徴とする。
【００４１】
請求項１８の本発明のメッセージ配信プログラムは、前記コンテンツデータを埋め込んだ前記メッセージを、送信側の前記携帯端末に送信し、当該送信側の携帯端末からの要求に基づいて、前記メッセージに埋め込まれた前記コンテンツデータの変更、削除、追加を行う機能を有することを特徴とする。
【００４２】
請求項１９の本発明のメッセージ配信プログラムは、前記携帯端末から送信されたメッセージに使用されたコンテンツデータを、前記携帯端末のユーザ毎に固有のユーザ情報として管理し、前記携帯端末からの前記コンテンツデータの変更、追加の要求があった場合に、前記ユーザ情報に基づいて前記ユーザに適合するコンテンツデータを前記携帯端末に送信する機能を有することを特徴とする。
【発明の効果】
【００４３】
本発明のメッセージ配信システム、メッセージサーバ、及びメッセージ配信プログラムによれば、以下のような効果が達成される。
【００４４】
ユーザ間のメッセージ送受信において、メッセージ作成時にコンテンツデータ（画像データ、音源データなど）を埋め込む作業を行う必要がなく、通常のメッセージ送信処理を行なうだけで、送信メッセージに関連するコンテンツデータ（画像データ、音源データなど）を自動的に埋め込んで配信することができる。
【００４５】
メッセージに埋め込みたいコンテンツデータを携帯端末内で保持する必要をなくし、サーバが保持するコンテンツデータ（画像データ、音源データなど）を使用することで、携帯端末内のメモリ負担を軽減することができる。
【００４６】
携帯端末に予め保持されたコンテンツデータ（画像データ、音源データなど）以外を使用する場合では、各ユーザが個別に携帯端末用のコンテンツ提供サイトより各ユーザが個別にダウンロードしてコンテンツデータ（画像データ、音源データなど）を取得する作業を軽減することができる。
【００４７】
携帯端末が、メッセージ送信後にメッセージに埋め込まれたコンテンツデータ（画像データ、音源データなど）を再編集を可能にすることにより、よりユーザの意向にそった内容のコンテンツデータの埋め込みが行えるようになる。
【００４８】
また、ユーザがコンテンツデータの編集において選択したコンテンツデータをユーザ情報として管理し、ユーザ情報を参照してコンテンツデータの埋め込み処理を行うことにより、ユーザの好みや趣向性に適合する可能性のあるコンテンツデータを埋め込んだメッセージを作成することができる。これにより、ユーザがライブラリサーバ１３から送られるメッセージを確認する際に、コンテンツデータを変更する頻度が少なくなる。
【実施例１】
【００４９】
以下、本発明の好適な第１の実施例について図面を参照しながら説明する。図１は本発明の実施例によるメッセージ配信システムの構成を示す構成図である。
【００５０】
図１において、本実施例のメッセージ配信システムは、画像データや音源データ付きメッセージの送受信（メール）が可能な携帯端末１１及び、携帯端末１５と、作成したメッセージを送受信するためのメッセージサーバ１２と、コンテンツデータ（画像データ、音源データなど）をメッセージに埋め込むライブラリサーバ１３と、コンテンツデータ（画像データ、音源データなど）とユーザ情報を保有しているライブラリサーバ用のデータ格納部１４を備えて構成されている。
【００５１】
図１に示すように、携帯端末１１、携帯端末１５、メッセージサーバ１２は無線通信回線によって相互にデータ通信（ネットワークや電話回線など）可能に接続されている。
【００５２】
メッセージサーバ１２は、携帯端末１１、１５に対してメッセージ（例えば電子メール）の送受信を制御するサーバであって、コンピュータ装置としてワークステーション上でメッセージ配信を制御するメッセージ配信プログラムを実行することで、その機能が実現される。
【００５３】
ライブラリサーバ１３は、メッセージサーバ１２とネットワークなどを介して接続されたサーバあって、メッセージ内にデータ格納部１４に格納されたコンテンツデータを埋め込む処理を行う機能を有している。
【００５４】
データ格納部１４には、後述する埋め込み処理を行うための画像データ、音源データなどからなるコンテンツデータが当該コンテンツデータを埋め込む対象となる単語を示すキーワードと対応させて格納されている。
【００５５】
本実施例では、携帯電話機１１、１５間でメッセージの送受信を行う例を示しているが、携帯電話機以外の携帯端末、例えば携帯端末、ＰＡＤ、ノートパソコンなどを使用することもできる。
【００５６】
携帯電話機１１、１５の機能は、電話機を制御するコンピュータ装置（ＣＰＵ）上でメッセージ送受信を制御するプログラムを実行することで達成される。
【００５７】
メッセージ送受信が可能な携帯端末１１と携帯端末１５の内部構成を図２に示す。
【００５８】
携帯端末１１、１５は、各回路を制御する制御部５１と、メッセージを作成するためのメーラ５６と、作成したメッセージを送信するための無線通信部５２と、予め携帯電話内に保有する画像データや音源データを保存するプリセットデータ記憶部５３と、撮影した写真や各ユーザが個別にダウンロードしたデータを保存するユーザデータ記憶部５４と、データ入力等を行う操作部５５と、作成したメッセージや画像を表示する表示部５９を備えて構成される。
【００５９】
制御部５１は、携帯端末全体を制御を行う手段であって、携帯端末１１、１５に組み込まれたコンピュータ装置（CPU）により実現される。
【００６０】
無線通信部５２は、無線による携帯端末と、ネットワーク（または電話回線）を結ぶ無線通信を行う手段であって、無線送受信装置により実現される。
【００６１】
ユーザデータ記憶部５３とプリセットデータ記憶部５４は、端末に組み込まれた電子的な記憶回路装置（フラッシュメモリなど）で実現される。
【００６２】
操作部５５は、携帯端末の入力を行う手段であって、端末に取り付けられているキーによる入力装置により実現される。
【００６３】
メーラ５６は、携帯端末のメッセージの送受信（メール）を行う手段であって、端末に組み込まれたメールプログラムによって実現される。
【００６４】
表示部５９は、携帯端末の映像を出力する手段であって、端末に取り付けられている表示装置（液晶ディスプレイなど）で実現できる。
【００６５】
メッセージを受信した携帯端末１１、１５では、受信メッセージをメーラ５６で開くと、表示部５９に、メッセージ送信者が入力したテキスト本文とライブラリサーバ１３にて自動的に埋め込まれた画像データが表示され、同時に埋め込まれた音源データにより、内臓のスピーカからメロディが出力される。
【００６６】
上記のように構成される本実施例の携帯端末１１、１５、メッセージサーバ１２及びライブラリサーバ１３のそれぞれの動作について、図３から図５を参照して説明する。本実施例のメッセージ配信システムでは、携帯端末１１、１５がメッセージを送信すると、ライブラリサーバ１３が自動的に画像データや音源データ等のコンテンツデータをメッセージに埋め込んで相手先の携帯端末に送信することを特徴としている。
【００６７】
まず、携帯端末１１、１５がメッセージの送信を行う場合の動作について、図３のフローチャートを用いて説明する。
【００６８】
携帯端末１１、１５は、メッセージを相手の携帯端末に送るために、メーラ５６を立ち上げて、メッセージの作成を行なう（ステップＳ３０１）。このメッセージの作成では、図１２のメッセージ新規作成画面１０１でメッセージの宛先を入力し、次に本文をテキストで入力することで行う。
【００６９】
図１２のメッセージ作成例１０２のようなテキストのメッセージを入力し終えたら（ステップＳ３０２）、作成したメッセージを保存し（ステップＳ３０３）、無線通信部５２を介して送信する（ステップＳ３０４）。
【００７０】
本実施例のメッセージサーバ１２及びライブラリサーバ１３の動作を、図４及び図５の示すフローチャートを参照して説明する。
【００７１】
メッセージサーバ１２における処理を図４に示す。メッセージサーバ１２が、携帯端末１５から送信されたメッセージを受信すると（ステップＳ４０１）、メッセージサーバ１２は、ライブラリサーバ１３に対して、メッセージ内への画像データや音源データからなるコンテンツデータの埋め込み処理を要求する（Ｓステップ４０２）。
【００７２】
画像データや音源データからなるコンテンツデータの埋め込み処理については、ライブラリサーバ１３がメッセージ本文内の単語に一致するコンテンツデータをデータ格納部１４が取り出してメッセージに埋め込む。
【００７３】
ライブラリサーバ１３からのコンテンツデータの埋め込み処理完了の確認通知があると（ステップＳ４０３）、メッセージサーバ１２は、メッセージの送り先である携帯端末１５に対して、コンテンツデータの埋め込まれたメッセージを送信する（ステップＳ４０４）。
【００７４】
これにより、携帯端末１５は、メッセージの本文に画像データや音源データ付きメッセージとして受信することができる。
【００７５】
図５は、ライブラリサーバ１３による動作を示すフローチャートである。
【００７６】
ライブラリサーバ１３は、メッセージサーバ１２からのコンテンツデータ（画像データ、音源データなど）埋め込み要求を受理すると（ステップＳ５０１）、データ格納部１４に格納されているキーワードのうち、メッセージ本文の単語と一致するキーワードを検索する（ステップＳ５０２）。
【００７７】
本文の単語と一致するキーワードが検索されると、そのキーワードに対応するコンテンツデータ（画像データ、音源データなど）をデータ格納部１４より取り出す（ステップＳ５０３）。
【００７８】
そして、取り出したコンテンツデータ（画像データ、音源データなど）を、メッセージ本文内のキーワードが一致した単語の位置に埋め込む処理を行う（ステップＳ５０４）。メッセージ本文の終わりまでステップＳ５０２からステップＳ５０４の処理を繰り返す（ステップＳ５０５）。
【００７９】
メッセージ本文への処理が終了したら、コンテンツデータを埋め込んだメッセージと共にメッセージ埋め込み処理完了の確認通知をメッセージサーバ１２へ送信する（ステップＳ５０６）。
【００８０】
本実施例によるメッセージ配信システムの全体の動作について図６のシーケンス図と、図１２のメッセージ作成例を参照して詳しく説明する。ここでは、送信側の携帯電話機１１から受信側の携帯電話機１５に対してメッセージ送信を行う場合を説明する。
【００８１】
携帯端末１１は、メッセージを携帯端末１５に送るために、メーラ５６を立ち上げて、メッセージの作成を行なう（ステップＳ６０１）。メーラ５６を立ち上げた状態を図１２のメッセージ新規作成例１０１に示す。
【００８２】
図１２のメッセージ作成時例１０２のようなテキストのメッセージを入力し終えたら無線通信部５２を介して送信する（ステップＳ６０２）。
【００８３】
送信したメッセージは、メッセージサーバ１２が受信し、ライブラリサーバ１３に対して、メッセージ本文内にコンテンツデータ（画像データや音源データなど）の埋め込み処理を要求する（ステップＳ６０３）。
【００８４】
埋め込み処理を要求されたライブラリサーバ１３は、メッセージ内の単語と一致するキーワードを検索し、一致するキーワードが存在すれば、当該キーワードに対応するコンテンツデータの送付をデータ格納部１４に対して要求する（ステップＳ６０４）。データ格納部１４は、要求されたコンテンツデータ（画像データや音源データ）をライブラリサーバ１３に対して送る（ステップＳ６０５）。
【００８５】
コンテンツデータ（画像データや音源データ）を取得したライブラリサーバ１３は、メッセージ本文内のキーワードが一致した単語の位置にそのコンテンツデータを埋め込む。上記キーワードの検索とコンテンツデータの埋め込み処理をメッセージ本文の最後まで繰り返す。
【００８６】
ライブラリサーバ１３は、メッセージ本文の最後まで、コンテンツデータのの埋め込み処理が完了したら、メッセージサーバ１２に対して、コンテンツデータを埋め込んだメッセージと共に埋め込み処理の完了確認通知を送る（ステップＳ６０６）。コンテンツデータが埋め込まれたメッセージの例を図１２のメッセージ作成例１０３に示す。ここでは、画像データと音源データが埋め込まれた場合を示している。
【００８７】
コンテンツデータの埋め込みが完了したメッセージを受け取ったメッセージサーバ１２は、携帯端末１５に画像データや音源データ付きメッセージの送信準備を行ない（ステップＳ６０７）、メッセージを携帯端末１５宛に送信する（ステップＳ６０８）。
【００８８】
携帯端末１１が送信したメッセージは、文章（テキスト）だけのメッセージであったが、携帯端末１５が受信したメッセージを受信して開くと（ステップＳ６０９）、図１２のメッセージ受信時例１０４のようなメッセージ本文の文章や単語の位置に、当該文章や単語とマッチした画像１１０−１が表示され、同時に関連する音源が出力される。
【００８９】
第１の実施例によるメッセージ配信システムでは、上記のように構成され動作することにより、以下の効果が達成される。
【００９０】
携帯端末間のメッセージ送受信において、メッセージ作成時にコンテンツデータ（画像データ、音源データなど）を埋め込むことなく通常のメッセージ送信処理を行なうだけで、送信メッセージに関連するコンテンツデータ（画像データ、音源データなど）が自動的に埋め込まれて受信側に配信することができ、ユーザのメッセージ作成の手間が大幅に軽減される。
【００９１】
特に、携帯端末に予め保持されたコンテンツデータ以外のデータを使用する場合に、個別に携帯端末用のコンテンツ提供サイトより各ユーザが個別にダウンロードしてコンテンツデータを取得するといった作業が必要なくなる。
【００９２】
また、メッセージに埋め込むためのコンテンツデータを携帯電話機内に保持する必要がなくなるので、携帯電話機内のメモリ負担が軽くなる。
【実施例２】
【００９３】
次に、本発明の第２の実施例によるメッセージ配信システムについて説明する。
【００９４】
第２の実施例のメッセージ配信システム全体の構成については、図１に示した構成と同じであるので説明を省略する。
【００９５】
本実施例では、ライブラリサーバ１３でコンテンツデータ画像データや音源データ）が埋め込まれたメッセージを、送信側の携帯電話機で確認し、携帯電話機からライブラリサーバ１３に対して変更又は追加するコンテンツデータを要求し、ライブラリサーバ１３を経由して埋め込みデータを取得し、携帯電話機内でメッセージにコンテンツデータの変更、追加、削除の編集を可能にしたものである。
【００９６】
また、ライブラリサーバ１３は、第１の実施例で説明した機能の他に、ユーザからのメッセージに使用されたコンテンツデータを、携帯電話機１１、１５のユーザ毎に固有のユーザ情報として管理し、携帯帯電話機からコンテンツデータの要求に対して、当該ユーザのユーザ情報に基づいてユーザの趣味性や好みに適合するコンテンツデータを送信することができる機能を有している。
【００９７】
このため、データ格納部１４には、コンテンツデータが当該コンテンツデータを埋め込む対象となる単語を示すキーワードと対応させて格納されていると共に、これまでユーザからのメッセージに埋め込まれたコンテンツデータと編集においてユーザによって選択されたコンテンツデータを、携帯電話機１１、１５のユーザ毎に固有のユーザ情報として格納している。このユーザ情報には、コンテンツデータとそのキーワードが対応付けられている。
【００９８】
このデータ格納部１４のユーザ情報については、コンテンツデータの埋め込み処理と携帯電話機のユーザによるコンテンツデータの選択がなされる度に、ライブラリサーバ１３によって更新される。
【００９９】
本実施例における携帯電話機１１ａ、１５ａの構成について、図７を参照して説明する。
【０１００】
携帯電話機１１ａは、図２に示した第１の実施例による携帯電話機に、ユーザがダウンロードなどで取得した画像データを記憶する画像ライブラリ記憶部７７と、ユーザがダウンロードなどで取得した音源データを記憶するメロディライブラリ記憶部７８が追加されており、その他の構成につては第１の実施例と同じである。
【０１０１】
携帯電話機１１ａの画像ライブラリ記憶部７７と音源ライブラリ記憶部７８は、電話機に組み込まれた電子的な記憶回路装置（フラッシュメモリなど）で実現される。
【０１０２】
本実施例の携帯電話機１１ａ、１５ａの機能は、電話機を制御するコンピュータ装置（ＣＰＵ）上でメッセージ送受信を制御するプログラムを実行することで達成され、第１の実施例による携帯電話機の機能の他に、ライブラリサーバ１３からコンテンツデータが埋め込まれたメッセージを受け取り、ライブラリサーバ１３に直接アクセスして当該メッセージ内のコンテンツデータの変更、追加、削除の編集を行う機能を有している。
【０１０３】
以下、第２の実施例によるメッセージ配信システムの動作について、図８の携帯電話機の動作を示すフローチャート、図９のメッセージサーバ１２の動作を示すフローチャート、図１０のライブラリサーバ１３の動作を示すフローチャート及び図１１のシステム全体のシーケンス図を参照して説明する。ここでは、送信側の携帯電話機１１ａから受信側の携帯電話機１５ａに対してメッセージ送信を行う場合を説明する。
【０１０４】
携帯端末１１ａは、メッセージを相手側の携帯端末１５ａに送るために、メーラ８６を立ち上げて、メッセージの作成を行なう（ステップＳ８０１、図１１の１１０１）。
【０１０５】
メッセージ作成が完了したら（ステップＳ８０２）、作成したメッセージを保存し（ステップＳ８０３）、ライブラリサーバ１３に対して、当該メッセージを無線通信部８２を介して送信することにより、コンテンツデータ（画像データや音源データなど）の埋め込みを要求する（ステップＳ８０４、図１１の１１０２）。
【０１０６】
ライブラリサーバ１３は、携帯電話機１１ａからメッセージとコンテンツデータの埋め込み要求を受信すると、図５で説明したと同様のコンテンツデータの埋め込み処理を実行する。ただ、本実施例では、キーワードによる検索だけでなく、ユーザ情報を参照してコンテンツデータの埋め込みを行う点が第１の実施例と相違する。
【０１０７】
すなわち、ライブラリサーバ１３は、データ格納部１４に格納されているキーワードだけでなく、当該ユーザのユーザ情報に含まれるキーワードから、メッセージ本文の単語と一致するキーワードを検索し、本文の単語と一致するキーワードが検索されると、そのキーワードに対応するコンテンツデータ（画像データ、音源データなど）をデータ格納部１４より取り出す（図１１の１１０３、１１０４）。
【０１０８】
そして、取り出したコンテンツデータ（画像データ、音源データなど）を、メッセージ本文内のキーワードが一致した単語の位置に埋め込む処理を行う（図１１の１１０５）。メッセージ本文の終わりまでこの埋め込み処理を繰り返す。
【０１０９】
ライブラリサーバ１３は、コンテンツデータの埋め込み処理が完了すると、コンテンツデータを埋め込んだメッセージを、メッセージ作成元の送信側携帯端末１１ａに対して送信する（図１１の１１０５）。
【０１１０】
送信側携帯端末１１ａでは、コンテンツデータの埋め込みが完了したメッセージを受け取ると（ステップＳ８０５）、メーラ５６などで埋め込まれたコンテンツデータを確認する（図１１の１１０６）。
【０１１１】
その際に、ユーザの操作によって、必要に応じてメッセージに埋め込まれた画像データや音源データを、画像ライブラリ記憶部５７、音源ライブラリ記憶部５８に記憶することも可能である。
【０１１２】
メッセージに埋め込まれたコンテンツデータ（画像データや音源データ）に対して変更や追加がなければ、携帯電話機１１ａがメッセージサーバ１２を経由して確認済みのメッセージを携帯端末１５ａへ送信する（ステップＳ８１０、図９のステップＳ９０１、Ｓ９０２）。
【０１１３】
コンテンツデータとしての画像データや音源データが、メッセージ本文の内容と意味が合わない等の理由で、埋め込むコンテンツデータを変更したい場合、携帯電話機１１ａからライブラリサーバ１３に対してコンテンツデータの変更要求を行う（ステップＳ８０６、図１１の１１０７）。
【０１１４】
この場合、携帯電話機１１ａのユーザは、変更したい位置の埋め込み画像データや音源データをクリックし、コンテンツデータの「変更する」を指定することで、コンテンツデータの変更要求が行われる。
【０１１５】
この変更要求により、携帯電話機１１ａがライブラリサーバ１３にアクセスされ、ライブラリサーバ１３と接続されると、携帯電話機１１ａから、クリックした埋め込み画像データや音源データのキーワードがライブラリサーバ１３に送られる（ステップＳ８０７）。
【０１１６】
ライブラリサーバ１３は、携帯電話機１１ａからのキーワードを受け取ると（ステップＳ１００１）、当該キーワードに該当するコンテンツデータ（画像データや音源データ）のリストを携帯電話機１１ａに送信する（ステップＳ１００２、図１１の１１０９）。
【０１１７】
この場合、コンテンツデータの変更要求を受けたライブラリサーバ１３は、携帯端末１１ａのユーザＩＤ等から当該ユーザを特定し、当該ユーザのユーザ情報を参照することにより、ユーザがこれまでに選択しているコンテンツデータの内容（ユーザ情報の内容）を確認し（図１１の１１０８）、ユーザが要求するコンテンツデータのキーワードに関連し、ユーザによって過去に選択されたことのないコンテンツデータを含むコンテンツデータをデータ格納部１４から検索し、それらのリストを該当ユーザの携帯電話機１１ａへ送る。
【０１１８】
このように、ユーザ情報を参照してコンテンツデータを検索してそれらのリストを送信することにより、ユーザの趣向（例えば、性別、年齢、職業など）に適合する可能性の高い画像データや音源データであるコンテンツデータの選択が可能となる。
【０１１９】
携帯電話機１１ａのユーザは、送られたリストから希望するコンテンツデータを選択する（ステップＳ８０８、図１１の１１１０）。
【０１２０】
ライブラリサーバ１３は、コンテンツデータの選択を受信すると（ステップＳ１００３）、選択されたコンテンツデータをデータ格納部１４から取り出し（図１１の１１１１、１１１２）、そのコンテンツデータを携帯端末１１ａに送る（ステップＳ１００４、図１１の１１１３）。
【０１２１】
ここで、選択されたコンテンツデータは、当該ユーザに対応させてユーザ情報としてデータ格納部１４に記憶される。
【０１２２】
携帯電話機１１ａは、送られてきたコンテンツデータを取得し、もともと埋め込まれていたコンテンツデータと差し替えて変更するなどの編集を行う（ステップＳ８０９）。
【０１２３】
携帯電話機１１ａのユーザは、それ以外に必要のない画像データや音源データを削除したり、画像データや音源データを追加する必要がある場合には、ライブラリサーバ１３に対して上述した変更要求を行うことにより、メッセージ本文の最後まで編集作業を行なう（ステップＳ８１０、図１１の１１１４）。
【０１２４】
埋め込まれたコンテンツの編集が完了した場合または変更がない場合、確認済みのメッセージを、宛先である携帯端末１５ａに対して、メッセージサーバ１２を介して送信する（ステップＳ８１１、図１１の１１１５、１１１６）。
【０１２５】
確認済みのメッセージを受信した携帯端末１５は、例えば図１２に示すメッセージ受信時例１０４のようなメッセージ本文に画像データと音源データが付加されたメッセージを受信することができる（図１１の１１１７）。
【０１２６】
上記のように、ユーザがライブライサーバ１３にアクセスするたびにデータ格納部１４内のユーザ情報に、メッセージに埋め込まれたコンテンツデータと当該ユーザが選択したコンテンツデータを追加し、ライブラリサーバ１３によるコンテンツデータの埋め込み処理において、ユーザ情報を参照したコンテンツデータの埋め込みを行うようにしたので、ユーザが次にメッセージを送信するときには、よりユーザの最近のユーザ情報に近いコンテンツデータを埋め込むことができるようになる。これにより、ユーザがライブラリサーバ１３から送られるメッセージを確認する際に、コンテンツデータを変更する頻度が少なくなる。
【０１２７】
第２の実施例によるメッセージ配信システムでは、上記のように構成され動作することにより、第１の実施例から得られる効果の他に、以下のような効果が達成される。
【０１２８】
携帯電話機１１ａが、ライブラリサーバ１３にアクセスすることにより、メッセージ作成後にメッセージに埋め込まれたコンテンツデータ（画像データ、音源データなど）の再編集（変更、追加、削除）を行うことができる。これにより、よりユーザの意向にそった内容のコンテンツデータの埋め込みが行えるようになる。
【０１２９】
また、ユーザがコンテンツデータの編集において選択したコンテンツデータをユーザ情報として管理し、ユーザ情報を参照してコンテンツデータの埋め込み処理を行うことにより、ユーザの好みや趣向性に適合する可能性のあるコンテンツデータを埋め込んだメッセージを作成することができる。
【０１３０】
以上好ましい実施例をあげて本発明を説明したが、本発明は必ずしも上記実施例に限定されるものではなく、その技術的思想の範囲内において様々に変形して実施することができる。
【０１３１】
例えば、上記実施例では、コンテンツデータの埋め込み処理を行うライブラリサーバ１３をメッセージサーバ１２と別に備える構成を示したが、ライブラリサーバ１３のコンテンツ埋め込み処理を行う機能をメッセージサーバ１２に持たせる構成としてもよい。
【０１３２】
また、メッセージの埋め込み時に、企業のＣＭ情報や、サービスのためのクーポンなどを映像データと共に、受信側の携帯端電話機に送信することも可能となる。
【図面の簡単な説明】
【０１３３】
【図１】本発明の第１の実施例によるメッセージ配信システムの全体構成を示す図である。
【図２】本発明の第１の実施例による携帯電話機の構成を示すブロック図である。
【図３】本発明の第１の実施例によるメッセージ配信システムにおける携帯電話機のメッセージ送信における動作を説明するフローチャートである。
【図４】本発明の第１の実施例によるメッセージ配信システムにおけるメッセージサーバの動作を説明するフローチャートである。
【図５】本発明の第１の実施例によるメッセージ配信システムにおけるライブラリサーバの動作を説明するフローチャートである。
【図６】本発明の第１の実施例によるメッセージ配信システムの全体の動作を説明するシーケンス図である。
【図７】本発明の第２の実施例による携帯電話機の構成を示すブロック図である。
【図８】本発明の第２の実施例によるメッセージ配信システムにおける携帯電話機のメッセージ送信における動作を説明するフローチャートである。
【図９】本発明の第２の実施例によるメッセージ配信システムにおけるメッセージサーバの動作を説明するフローチャートである。
【図１０】本発明の第２の実施例によるメッセージ配信システムにおけるライブラリサーバの動作を説明するフローチャートである。
【図１１】本発明の第２の実施例によるメッセージ配信システムの全体の動作を説明するシーケンス図である。
【図１２】本発明を用いたメッセージの作成例を示す図である。
【符号の説明】
【０１３４】
１１、１１ａ、１５、１５ａ：携帯電話機
１２：メッセージサーバ
１３：ライブラリサーバ
１４：データ格納部
５１：制御部
５２：無線通信部
５３：ユーザデータ記憶部
５４：プリセットデータ記憶部
５５：操作部
５６：メーラ
５９：表示部
７７：画像ライブラリ記憶部
７８：音源ライブラリ記憶部
１０１：メッセージ新規作成例
１０２：メッセージ作成時例
１０３：データ埋め込み例
１０４：メッセージ受信時例
１１０−１：画像
【図１】
2005285047.tif 000003
【図２】
2005285047.tif 000004
【図３】
2005285047.tif 000005
【図４】
2005285047.tif 000006
【図５】
2005285047.tif 000007
【図６】
2005285047.tif 000008
【図７】
2005285047.tif 000009
【図８】
2005285047.tif 000010
【図９】
2005285047.tif 000011
【図１０】
2005285047.tif 000012
【図１１】
2005285047.tif 000013
【図１２】
2005285047.tif 000014